(57)【要約】【課題】塵芥投入箱の開閉扉を投入口上方の塵芥投入箱内に収納するようにして開閉扉により覆われる投入口上方部分を無くし、塵芥収集車の塵芥投入箱に備え付けられたオプション部品の耐久性を向上させ、併せて作業時におけるオプション部品による表示の視認性を高める。【解決手段】塵芥投入箱１内でサイドパネル３，３に塵芥投入箱１の後面に沿って上下一対づつガイドレール９，９，１１，１１を設け、これらのガイドレールに案内させて塵芥投入箱内１を移動して開閉する塵芥投入口２２の開閉扉２３を設け、塵芥投入箱の上方の後面にオプション部品を取り付ける。【選択図】図２
2005314061.tif 000002
【特許請求の範囲】
【請求項１】
塵芥収集車の塵芥投入箱において、
走行時、塵芥投入箱本体内の塵芥が飛散しないよう取り付けられている開閉扉が、塵芥投入時、塵芥投入箱本体の内側上部に収納されることを特徴とする塵芥収集車の塵芥投入箱。
【請求項２】
前記塵芥投入箱本体の塵芥投入口の左右側壁に後面形状に沿うように湾曲するように形成された一対のガイドレールが設けられ、
かつ前記開閉扉が前記一対のガイドレールに沿って摺動して開閉されることを特徴とする請求項１に記載の塵芥収集車の塵芥投入箱。
【請求項３】
前記ガイドレールが、前記塵芥投入口の上部から中間部にかけて設けられた上部ガイドレールと前記塵芥投入口の中間部から下部にかけて設けられた下部ガイドレールとに分割して設けられたことを特徴とする請求項１又は請求項２に記載の塵芥収集車の塵芥投入箱。
【請求項４】
前記上部及び下部ガイドレールの下端部が下ほど後方向に位置するようにされ、塵芥投入口の開閉扉が閉まっている時は、開閉扉周囲の構体に開閉扉が押し付けられ、略密閉構造を構成していることを特徴とする請求項２又は３に記載の塵芥収集車の塵芥投入箱。
【請求項５】
前記ガイドレールの断面形状がコ字形状に形成され、前記開閉扉の両側側縁部に前記コ字形状の内側を転動するローラが設けられたことを特徴とする請求項２から請求項４のいずれか一項に記載の塵芥収集車の塵芥投入箱。
【発明の詳細な説明】
【技術分野】
【０００１】
本発明は、塵芥収集車の塵芥投入箱に係り、特に塵芥投入箱の開閉扉を投入箱に収納することを可能にしたことを特徴とする塵芥収集車の塵芥収集箱に関する。
【背景技術】
【０００２】
塵芥収集車の荷台には収集した塵芥を収容するための塵芥収容箱が積載されており、塵芥は塵芥収容箱の後部に接続された塵芥投入箱にまず投入されてから塵芥収容箱に収容されることとなっている。塵芥投入箱の後面には、塵芥を投入するための塵芥投入口が設けられており、ここには走行中に塵芥投入箱内の塵芥や汚水が飛散しないように開閉扉が設けられている。
【０００３】
従来の開閉扉は一端を塵芥投入箱に軸支されたアームの他端で開閉扉の上部を軸支したものを用いていた。かかる構成においては、塵芥投入口が閉鎖されているときは開閉扉においてはアームを上方に回動させることにより開閉扉を上昇させて塵芥投入口を開放し、塵芥投入口が開放されているときには、アームを下方に回動させることにより開閉扉を下降させて塵芥投入口を閉鎖することとしていた（特許文献１、特許文献２及び特許文献３参照）。
【０００４】
また、塵芥投入口に塵芥を投入する作業を行うに際して、塵芥収集車の運転手は塵芥収集車を停車させ、作業者に塵芥投入作業を行わせる。そこで、通行人や主に塵芥収集車の後方から走行してくる車両等に塵芥収集車が停車して作業中であることについて注意を喚起するため、塵芥投入箱の後面にはテールランプや作業表示灯が備えられている。また、塵芥収集車の運転手が塵芥投入口付近の作業者の作業状況を確認するためにバックアイカメラ等のオプション部品備えられる場合もある。これらのオプション部品は、従来の回動する開閉扉を備えた塵芥収集車では、作業中開閉扉に遮られて確認できないことがないように、開閉扉の外面あるいは投入箱の横に備えられている。
【特許文献１】実開平６−５３５１１号公報
【特許文献２】実開平６−８３１３号公報
【特許文献３】特開２００１−１９１０６号公報
【発明の開示】
【発明が解決しようとする課題】
【０００５】
そのため、上記のオプション部品についての配線作業が煩雑なものとなっていた。
また、塵芥投入口の開閉扉は頻繁に開閉が行われるため、開閉のたびに配線されたワイヤハーネスが伸縮させられることにより、断線したりするという不具合が生じていた。
また、開閉扉に取り付けられたオプション部品は、扉開閉時において視認性が必ずしも良好でない場合があった。
【０００６】
本発明の課題は、開閉扉にオプション部品を設けないで、塵芥収集車の塵芥投入箱に備え付けられたオプション部品の耐久性を向上させ、併せて作業時におけるオプション部品による表示の視認性を高めることにある。
【課題を解決するための手段】
【０００７】
上記課題を解決するために、請求項１に記載の発明は、塵芥収集車の塵芥投入箱において、走行時、塵芥投入箱本体内の塵芥が飛散しないよう取り付けられている開閉扉が、塵芥投入時、塵芥投入箱本体の内側上部に収納されることを特徴とする。
【０００８】
請求項１に記載の発明によれば、塵芥投入口の開閉扉を塵芥投入箱の内部に収容することとしたため、後方からの視界を遮ることなく塵芥投入箱の後面に多くの固定面を確保することが可能となっている。
【０００９】
請求項２に記載の発明は、請求項１に記載の塵芥収集車の塵芥投入箱において、前記塵芥投入箱本体の塵芥投入口の左右側壁に後面形状に沿うように湾曲するように形成された一対のガイドレールが設けられ、かつ前記開閉扉が前記一対のガイドレールに沿って摺動して開閉されることを特徴とする。
【００１０】
請求項２に記載の発明によれば、塵芥投入口の開閉扉をガイドレールに沿って開閉させることで塵芥投入箱の内部に収容することとしたため、開閉扉で後方からの視界を遮られることがなく塵芥投入箱の後面に多くの固定面を確保することが可能となり、オプション部品を固定面に取り付けることができる。
【００１１】
請求項３に記載の発明は、請求項１又は請求項２に記載の塵芥収集車の塵芥投入箱において、前記ガイドレールが、前記塵芥投入口の上部から中間部にかけて設けられた上部ガイドレールと前記塵芥投入口の中間部から下部にかけて設けられた下部ガイドレールとに分割して設けられたことを特徴とする。
【００１２】
請求項３に記載の発明によれば、ガイドレールを上下に二対設けることで、開閉扉を安定してガイドすることができる。
【００１３】
請求項４に記載の発明は、請求項２又は３に記載の塵芥収集車の塵芥投入箱において、前記ガイドレールの下端部が下ほど後方向に位置するようにされていることを特徴とする。
【００１４】
請求項４に記載の発明によれば、前記ガイドレールの前記底部側の端部が後方向に曲成させることで、塵芥投入口の閉鎖時において開閉扉の下端部を後方にガイドし、後壁に強く押し当てることができ、塵芥投入箱内に雨水が侵入するのを防いだり、塵芥投入箱内の臭気が飛散するのを防いだりすることができる。
【００１５】
請求項５に記載の発明は、請求項２から請求項４のいずれか一項に記載の塵芥収集車の塵芥投入箱において、前記ガイドレールの断面形状がコ字形状に形成され、前記開閉扉の両側側縁部に前記コ字形状の内側を転動するローラが設けられたことを特徴とする。
【００１６】
請求項５に記載の発明によれば、ローラを用いることで開閉扉をガイドレールに沿ってスムーズにガイドさせることができる。
【発明の効果】
【００１７】
請求項１に記載の発明によれば、塵芥投入口の開閉扉を塵芥投入箱本体の内部に収容することとしたため、開閉扉によって塵芥投入箱の後面が遮られないので多くの固定面を確保することが可能となった。そのため、作業中表示灯、テールランプ及びバックアイカメラ等のオプション部品を、投入口より上部の固定面に取り付けることが可能となり、可動面に取り付ける場合と比較してオプション部品の配線が容易になり配線作業が簡易化することが可能となる。また、開閉のたびに起こる振動で配線されたワイヤハーネスが当初配線された位置よりずれることにより、作業者やアームなどに引っ掛って断線するなどの不都合の発生を抑制することができる。
【００１８】
また、可動面である開閉扉の外面に取り付けていた場合に比較して、開閉扉の開閉による振動の影響が少なくなるため、振動によるオプション部品の破損や劣化を抑制することができ、オプション部品の耐久性を向上させることができる。
【００１９】
また、オプション部品を固定面に取り付けることが可能となったため、塵芥投入口が開放されている場合を考慮することなく、取付当初から通行人や主に塵芥収集車の後方から走行してくる車両のドライバー等が見やすい角度を考慮して作業中表示灯等のオプション部品を取り付けることが可能となり、オプション部品の視認性を向上させることができる。また、固定面に取り付けることにより開閉扉の開閉による振動の影響を受けにくくなるため、取付当初の適切な取付角度を維持することができる。
【００２０】
また、固定面にオプション部品を取り付けることとすることで開閉扉の重量を軽くすることができ、開閉扉の開閉に用いる駆動力を小さくすることができ、駆動機構をコンパクトにすることができる。
【００２１】
請求項２に記載の発明によれば、開閉扉の開閉を安定して行うことができる。
【００２２】
請求項３に記載の発明によれば、開閉扉を安定してガイドすることが可能となり、開閉扉の開閉を円滑に行うことができる。
【００２３】
請求項４に記載の発明によれば、塵芥投入口の閉鎖時において開閉扉を底板の塵芥投入口側の側壁にガイドして、開閉扉を塵芥投入箱本体の塵芥投入口の後壁に強く押し当てることで、開閉扉と底板の後壁の間に隙間を無くすことことができる。
そのため、雨天時において雨水が塵芥投入箱に浸入することを阻止し、雨水により塵芥収集車の積載重量が増加すること、ひいては過積載となることを防止することができる。
【００２４】
また、雨水の進入による積載重量の増加を防止することで塵芥収集車の燃費を向上させることができる。
【００２５】
また、塵芥投入箱に進入した雨水が収集した塵芥と一緒に塵芥処理施設の焼却炉に投棄されて焼却炉内の燃焼が妨げ、焼却炉の処理効率が落とすことを防止することができる。
【００２６】
また、塵芥処理施設には投棄した塵芥の量に応じて処理費用を支払うが、雨水の塵芥投入箱内への進入を阻止することで投棄量を減らすことができ、処理費用の支出を削減することができる。
【００２７】
また、開閉扉が底板の後壁に強く押し当てられることで、走行中における開閉扉のガタツキがなくなり騒音を低減することができる。
【００２８】
また、ガタツキによる振動をなくすことで振動による開閉扉及びその周辺部品の損傷を防止し、それらの部品の耐久性を向上させることができる。
【００２９】
請求項５に記載の発明によれば、ガイドレール内でローラを転動させることで、ガイドレールに沿って開閉扉の開閉を円滑に行うことが可能となる。そのため、開閉扉の開閉に必要な駆動力を小さくすることができ、開閉扉の駆動機構をコンパクトなものとすることができる。
【発明を実施するための最良の形態】
【００３０】
以下、本発明の実施の形態について、図１及び図２を参照しながら説明する。なお、本発明は図示例に限定されるものではない。
【００３１】
図１に示すように、塵芥投入箱１は塵芥投入口から投入された塵芥を図示しない塵芥収容箱に搬送するまでの間塵芥を保持するための底板２を備えており、底板２は略半円筒形状に形成されている。
【００３２】
前記底面の両側縁部には、それぞれの内面が対向するようにサイドパネル３，３が前方に傾斜して配設されており、サイドパネル３，３の上部の側縁部も前方に傾斜するように形成されている。そして、サイドパネル３，３はそれぞれの対向する内面に接続された支持棒４により支持されている。
サイドパネル３，３の後縁部には、内面が対向するようにガイドレール支持板５，５が接続されており、各ガイドレール支持板５，５は前方側の端部と前後方向の中央部付近を長尺平板状の支持部材６，７によりそれぞれ連結されている。
【００３３】
ガイドレール支持板５，５の下面は、サイドパネル３，３の上面の傾斜に合致する形状に形成されており、ガイドレール支持板５，５の後端は塵芥投入箱１の後面に沿った形状をして円弧状に形成されている。
【００３４】
ガイドレール支持板５，５の対向している内面（塵芥投入口の左右側壁）には、前方側の端部付近から前後方向の中央部付近まで、塵芥投入箱１の後面の形状に沿って円弧を描くように、断面の形状がコ字状の一対のガイドレール９，９が設けられており、ガイドレール９，９の下端部は下側ほど後方になるように曲成されている。また、ガイドレール支持板５，５の対向している内面には、ガイドレール９，９の上端部付近に図示しない駆動機構により正逆自在に回転させられるシャフト１０が備えられている。
【００３５】
なお、ガイドレール９，９の下端部は曲成されなくてもよい。
【００３６】
また、図１及び図２に示すようにガイドレール支持板５，５の対向している内面の下面側には、ガイドレール支持板５，５の長手方向の中央部付近から下端部付近まで塵芥投入箱１の後面に沿って円弧を描くように断面がコ字状の、もう一対のガイドレール１１，１１が設けられており、ガイドレール１１，１１の下端部下側ほど後方になるように曲成されている。
【００３７】
また、ガイドレール９，９をガイドレール支持板５，５の長手方向の下端部付近まで延在させてもよく、その場合のガイドレール９，９の下端部は曲成させてもさせなくてもよい。この場合には、ガイドレール１１，１１を設けなくてもよい。
また、ガイドレール９，９及び１１，１１はガイドレール支持板と一体の部材として設けても別個の部材として設けてもよい。
【００３８】
塵芥投入口２２の上方の後面には、オプション部品を取り付けるための固定面１２が設けられており、固定面１２の下面は、ガイドレール支持板５，５の上面に密着するような形状に形成されている。固定面１２の両側縁部にはテールランプ等の表示灯１３，１３・・・が設けられている。また固定面の中間部から前部にかけて開口部１４が形成されている。開口部１４には前端部から長尺平板状の支持部材１５が係止されており、支持部材１５にはガスダンバー１６及びラッチ１７が取り付けられている。
【００３９】
開口部１４には、蝶番１９，１９により連結された薄板状のカバー部材２０が配設されており、薄板状のカバー部材２０には、ラッチ１７と係脱自在のストライカー２１が取り付けられている。
【００４０】
なお、固定面１２には作業中表示灯やバックアイカメラ等の他のオプション部品を取り付けるのに使用できる。
【００４１】
このようにサイドパネル３，３、ガイドレール支持板５，５、固定面１２及びカバー部材等で構成された塵芥投入箱本体３０の塵芥投入口２２には、断面がコ字形状に形成されたガイドレールに案内されて移動する開閉扉２３が配設されている。
【００４２】
開閉扉２３の両側縁部には、開閉扉２３を円滑に開閉させるため、ガイドレール９，９の断面コ字形状の内側を転動するローラ２４，２４・・・と、ガイドレール１１，１１の断面コ字形状の内側を転動するローラ２４，２４・・・が取り付けられている。そして、開閉扉２３の上端側の両側縁部からラック部材２５，２５が延設されている。前記シャフト１０の両端にはピニオン２６，２６が設けられており、ラック部材２５，２５には前記ピニオンの歯と歯合する歯が設けられている。該ラック部材２５，２５は、開閉扉２３がガイドレール９，９，１１，１１に滑らかに案内されるように湾曲している。また、更に開閉扉２３の外面には作業者が扉を開閉する際に用いる把手２７，２７が設けられている。あるいは、ピニオンをモータなどで駆動させれば、開閉扉２３を自動で開閉できる。
【００４３】
なお、開閉扉２３の両側縁部にはローラの取り付け位置又はその付近に突出部を設けてガイドレール９，９，１１，１１の断面コ字形状の内側を摺動させることとしてもよい。
【００４４】
次に、本実施の形態の塵芥投入箱の作用について説明する。
【００４５】
作業者が閉鎖されている塵芥投入箱本体３０の塵芥投入口２２を開放するには、まず開閉扉２３の把手２７，２７を持ち、開閉扉２３を上方に引き上げる。開閉扉２３の両側縁部のローラ２４，２４・・・が塵芥投入箱本体３０の塵芥投入口２２の左右側壁に設けられたガイドレール９，９及びガイドレール１１，１１の断面コ字形状の内側において上方に向かって転動を開始して開閉扉２３は塵芥投入箱内をガイドされて上昇し、ほぼ上昇し切った点で図示しない段差に保持され、塵芥投入箱本体３０の内側上部に収納され、塵芥投入口２２は開放される。
また、作業者が開放されている塵芥投入箱本体３０の塵芥投入口２２を閉鎖するには、まず開閉扉２３の把手２７，２７を持ち、一度持ち上げてから下方に引き下げる。するとその力で段差から開閉扉２３が引き出されて開閉扉２３の両側縁部のローラ２４，２４・・・が塵芥投入箱本体３０の塵芥投入口２２の左右側壁に設けられたガイドレール９，９及びガイドレール１１，１１内の断面コ字形状の内側において下方に向かって転動を開始する。ガイドレール９，９の下端部及びガイドレール１１，１１の下端部は塵芥投入方向に曲成されているので、開閉扉２３の下端部は底板２の後壁方向にガイドされ、その後壁（構体）に押し付けられて略密閉構造とされ、塵芥投入口２２は隙間無く閉鎖されることとなる。なお、モータでピニオンを駆動する場合は段差を設けずモータにブレーキを設けて保持させてもよい。
【００４６】
以上のように、本実施の形態では、ガイドレール支持板５，５の対向する内面に下端部が塵芥投入方向に曲成されたガイドレール９，９及びガイドレール１１，１１を設けて、これに沿って開閉扉２３をガイドして開閉することで、塵芥投入箱１の後面に広い面積の固定面１２を確保することができ、固定面にオプション部品を取り付けることでオプション部品の耐久性を向上させ、併せて作業時におけるオプション部品による表示の視認性を高めることができる。
【００４７】
また、塵芥投入口２２の閉鎖時に開閉扉２３と底板２の後壁の間に隙間を無くすことで、雨天時において雨水が塵芥投入箱内に進入することを防ぎ、更に走行中のガタつきの発生を防止することができる。
【図面の簡単な説明】
【００４８】
【図１】本発明に係る塵芥投入箱の構造を説明するための分解斜視図である。
【図２】本発明に係る塵芥投入箱の構造を説明するための開閉扉のみを分離した斜視図である。
【符号の説明】
【００４９】
１    塵芥投入箱
３    サイドパネル
５    ガイドレール支持板
９    ガイドレール
１０  シャフト
１１  ガイドレール
１２  固定面
１３  表示灯
１４  開口部
２０  カバー部材
２２  塵芥投入口
２３  開閉扉
２４  ローラ
２５  ラック部材
２６  ピニオン
３０  塵芥投入箱本体
【図１】
2005314061.tif 000003
【図２】
2005314061.tif 000004